(57)【要約】【課題】自由勾配側溝の早期の供応に係り、基礎およびインバートコンクリート打設と硬化後の埋め戻しの工程を、基礎版の設置のみで直ちに供応でき、後日に基礎とインバートコンクリートを同時に打設出来る自由勾配側溝用の急速施行用の基礎版を提供する。【解決手段】基礎版の幅方向の上部に片側当りインサートを２個以上埋設し、捩じ込んだ六角ボルトの頭や回動するプレートを、自由勾配側溝の側壁下端部の内側に接触させて、内幅を調整してナットで締め込みたり、ナットと二枚のプレートを介して六角ボルトや中間にプレートを一体化した全ネジボルトの一方側にプレートとナットを配し、プレート間に側壁下端部の切込み凹部や貫通穴を連通して挟み込み、内幅を調整してプレートをナットで締め込み、側壁下端と基礎版との隙間を保持して、埋め戻しを実施して、後日に基礎とインバートコンクリートを同時に打設出来るようにした自由勾配側溝の急速施行用基礎版。【選択図】図１
2007056446.tif 000002
【特許請求の範囲】
【請求項１】
矩形あるいは凸形の基礎版の幅方向の側壁上部に樹脂製または鋼製のインサートを片面に２個以上埋設して、ナットを介して六角ボルトやフレキシブルに回動するプレートを固定した全ネジボルトをインサートにねじ込み設置し、ボルトを回動して門型形状の側溝の側壁下端部の内側に六角ボルトの頭やプレート面を接触させて、側壁の内幅を調整してインサート側をナットで締め込み、または、ナットと二枚のプレートを介して六角ボルトや中間にプレートを一体化したり、単なるプレートを配し、全ネジボルトの一方側にプレートとナットを配し、他方のボルトをインサートにねじ込み設置し、プレート間に側壁下端部の切込み凹部や貫通穴を連通して挟み込み、側壁の内幅を調整して内側のプレートをナットで締め込み、基礎版との側壁下端隙間を一定間隔に保持出来るようにしたことを特徴とする自由勾配側溝の急速施行用基礎版。
【発明の詳細な説明】
【技術分野】
【０００１】
本発明は、自由勾配側溝の早期の供応に係り、基礎コンクリートおよび開放底部へのインバートコンクリート打設、硬化後の埋め戻しの工程を、基礎版の設置のみで埋め戻しを実施でき、直ちに供応でき、後日の余裕の出来た時間帯に基礎とインバートコンクリートを同時に打設出来るようにした自由勾配側溝用の急速施行用の基礎版を提供しようとするものである。
【背景技術】
【０００２】
従来から道路勾配の殆どない所や逆勾配に水路勾配を形成する個所に使用されている道路用側溝は、断面門型で上面の両端に表面がフラットな耐力梁を有すとともに、上面の開口部に側溝蓋を載置し、底部を全面開放として自由に排水勾配を形成できる自由勾配側溝、あるいは同じく断面門型で上面の中央に耐力梁を有し、両端の開口部に側溝蓋を載置し、底部に自由に排水勾配を形成できる自由勾配側溝などが知られており、道路以外でも公園や広場、学校などと広く実施されている。
【０００３】
しかし、逆Ｕ型の門型で開放底部にコンクリートを現場で打設して水路勾配を形成する自由勾配側溝は、施行に労力と時間が掛かり、近年の工期短縮の動きに逆行するものであった。これは、開削して基礎砕石を敷き均し、型枠を組んで基礎コンクリートを打設し硬化を待って、自由勾配側溝を据付け、開放底部にインバートコンクリートを打設して自在な水路勾配を形成し、その硬化を待って、埋め戻しを行い、蓋を設置して、始めて供応開始となるものであって、一定の道路勾配があり、単に据え付けて、蓋を設置するだけで良い、従来のＵ型の道路側溝に比べ、工程も多く時間も掛かっていた。
【０００４】
特に、商店街等の道路側溝の改修や改良工事に置いては、昼間の商業時間には、通行を阻害するし、小規模な店主が多い中、商売を一時休業させる訳にも行かず、夜間に工事を行い、昼間は、工事箇所に鉄板や復興版で覆って、車の通行や人の歩行に支障の出ないように配慮することが求められ、仕事も大変で、時間も掛かり、かつ、割増料金も嵩むことになる。
【０００５】
以上のような次第であり、種々の考案がなされているがそれらは次のような副次的な課題を生じている。門型側溝の側溝底部としてプレキャストコンクリート可変底枠を、先行布設して底枠の両側の立上りの側壁間にインバートコンクリートを打設して自在な水路勾配を形成後、門型側溝を組み合せ載置して可変底枠と門型側溝の側壁の隙間にモルタル等を充填して、箱型の自由勾配側溝を形成できるようにしても、インバートコンクリートおよびモルタル等が硬化するまで埋め戻しが出来ないので、施行が早くなる訳ではない。
【０００６】
また、門型側溝の側溝底部としてプレキャストフレームを水路勾配に合わせて布設して自在な水路勾配を形成後、フレーム両側下部のフーチング上に門型側溝を敷き並べて側壁下端とフーチングの隙間に現場で調整コンクリートを打設して、箱型の自由勾配側溝を形成できるようにしても、調整コンクリートが硬化するまで埋め戻しが出来ないので、上記同様施行が早くなる訳ではない。
【特許文献１】特開平７−１８７２３号公報
【特許文献２】特開２０００−２７２７７号公報
【発明の開示】
【発明が解決しようとする課題】
【０００７】
解決しようとする問題点は、これまで夫々説明したような点であり、これらに対して基礎版の幅方向の側壁上部の片側に樹脂製または鋼製のインサートを２個以上埋設し、ボルトを捩じ込み設置し、門型形状の側溝の側壁下端部の内側に六角ボルトの頭や回動するプレートを接触させて、側壁の内幅を調整してインサート側をナットで締め込み、あるいは、ナットと二枚のプレートを介して六角ボルトや中間にプレートを一体化した全ネジボルトの一方側にプレートとナットを配し、他方のボルトをインサートにねじ込み設置し、プレート間に側壁下端部の切込み凹部や貫通穴を連通して挟み込み、側壁の内幅を調整して内側のプレートをナットで締め込み、自由勾配側溝の側壁下端と基礎版との隙間を、保持出来るようにして、埋め戻しを実施して、後日に基礎とインバートコンクリートを同時に打設出来るようにしたこと、以上を解決しようとする課題としている。
【課題を解決するための手段】
【０００８】
本発明は、自由勾配側溝の施行において、基礎コンクリートおよび開放底部へのインバートコンクリート打設、硬化後の埋め戻しの工程を、基礎版の設置のみで埋め戻しを実施でき、直ちに供応できるようにしたもので、後日の余裕の出来た時間帯に基礎とインバートコンクリートを同時に打設出来るようにして、安価に短時間で施行できるようにしたことを最も主要な特徴とし、以下の如くである。
【０００９】
（１）  請求項１に記載の発明は、矩形あるいは凸形の基礎版の幅方向の側壁上部に樹脂製または鋼製のインサートを片面に２個以上埋設して、ナットを介して六角ボルトやフレキシブルに回動するプレートを固定した全ネジボルトをインサートにねじ込み設置し、ボルトを回動して門型形状の側溝の側壁下端部の内側に六角ボルトの頭やプレート面を接触させて、側壁の内幅を調整してインサート側をナットで締め込み、または、ナットと二枚のプレートを介して六角ボルトや中間にプレートを一体化したり、単なるプレートを配し、全ネジボルトの一方側にプレートとナットを配し、他方のボルトをインサートにねじ込み設置し、プレート間に側壁下端部の切込み凹部や貫通穴を連通して挟み込み、側壁の内幅を調整して内側のプレートをナットで締め込み、基礎版との側壁下端隙間を一定間隔に保持出来るようにしたことを特徴とする自由勾配側溝の急速施行用基礎版。
【発明の効果】
【００１０】
本発明の急速施行用基礎版は、自由勾配側溝の基礎とインバートコンクリートを、後日の余裕の出来た時間帯に同時に打設出来るようにして、本体の据え付け後に直ちに埋め戻して、供応出来るようにしたもので、工事費縮減や施行が容易に行えるという利点がある。
【発明を実施するための最良の形態】
【００１１】
本発明の実施の形態を各図に基いて以下に説明する。図２〜図１２は本発明の基礎版および該ブロックを使用した使用状況図の基本的な態様を示した斜視図である。図１は、従来の自由勾配側溝の施行状況図であり、その手順を説明する。まず、側溝を設置するために、路盤を開削後底部に基礎砕石１９を設置して、型枠２０を組んでコンクリートを打設して基礎コンクリート１６を形成する。次に、基礎コンクリート１６の硬化を待って、自由勾配側溝１５本体を設置して、基礎コンクリート１６と側壁下端のクリアランス１８にモルタルを充填しながら、レベル調整をして側溝天端を合わせる。モルタルの硬化後、頂版の開放底部にインバートコンクリート１７を打設して自在な水路勾配を形成する。インバートコンクリート１７の硬化を待って背面土を埋め戻し、蓋版を据え付けて供用開始になる。この様に、工程が多岐にわたり、基礎およびインバートコンクリートの硬化を待たなければならず、工期が懸かり、人通りの多い商店街等の道路側溝の改修や改良工事に置いては、不適切であった。
【００１２】
そこで、図２の如く自由勾配側溝の製品１５の繋ぎ目に設置する凸型の基礎版１や図１０の矩形の基礎版２および自由勾配側溝の製品長さに合わせた図１２の貫通溝１４を設けた凸型の基礎版３を使用して急速施行する本案について説明する。図２は、凸型の基礎版１の上部の幅を自由勾配側溝１５本体の内断面部の内幅より、２０〜５０ｍｍ狭くして隙間にモルタルあるいはコンクリートを間詰出来るようにしてあり、下部がフーチング４状に飛び出させているのは、本体の側壁が載置出来る構造としてあり、本体総幅と同じか、多少大きめに作られている。基礎版１の長さは、本体の端部同士が載置してずり落ちない程度の長さがあれば良いので、２０〜５０ｃｍで構成されている。また、上部の側面の両端部には、基礎版１と側壁の隙間の幅規制のボルト６を捩じ込むためのインサート５が片面当り２個埋設されている。このインサート５は、樹脂製または防錆処理を施した鋼製で構成されている。
【００１３】
次に、この基礎版１を使用しての急速施行の手順について説明する。図３に自由勾配側溝１５の本体が載置された使用状況断面図が記載されており、まず基礎採石１９上に本案の凸型の基礎版１を本体の製品長さ毎に据え付ける。一般的に製品の長さは２ｍが多く、近年の工事費縮減に合わせて２．５あるいは３ｍのものも見受けられる。次に、２ｍピッチに布設された基礎版１の左右のフーチング４上に本体の側壁の両端を橋渡して、幅方向や高さ方向の位置関係を調節して据え付け、側壁下端の内幅を規制するため、図４にあるように前もってインサート５にナット８を介してギリギリ捩じ込んでおいた六角ボルト６を、緩めてボルト６の頭が側壁下端の内面に少し強めになるように接しさせ、ナット８を回動してインサート５側に締め付け、ボルト６が動かないように固定する。これを製品の前後左右の４箇所で実施して、本体の下端の幅を規制する。この後に、左右に均等に埋め戻しを行い、蓋を被せればそのまま道路として供応でき、後日、時間に余裕の出来た時に蓋を外して、開放底部に水路勾配に合わせて基礎コンクリートを兼ねたインバートコンクリート１７ａを一回打ちすれば良いことになる。
【００１４】
もし、多少でも時間に余裕のある場合には、ボルト６で幅規制後、基礎を兼ねたインバートコンクリート１７ａを打設して水路勾配を形成し、硬化を待つ必要がないので、そのまま蓋を設置して道路として供応できる。どちらの方法をもってしても、従来の施行方法に比べ、基礎コンクリート１６の打設と硬化およびインバートコンクリート１７の打設と硬化の手間が、インバートコンクリート１７ａの打設のみになることから、施行時間は半分以下に短縮される。また、図５の如く基礎版同士の間において、基礎砕石１９と本体側壁下端に基礎版１のフーチング４の厚さ分の隙間２１が開き、埋め戻し土が側溝の内側に入り込む危険があることから、これを防止するため、基礎版１のフーチング４部を、基礎砕石１９の中に半分ほど埋設させて据え付けたり、基礎版同士の間に１．８ｍ程度の長さの石膏版を沿えたり、あるいは、本体の側壁の下端部を切り込んで基礎版のフーチング４部を側壁部の中に取り込むことだけで、その問題は解決することが出来る。
【００１５】
図６は、この凸型の基礎版１の上面の側面を斜めとして、製造し易い構造とした場合の凸型の基礎版１ａで、インサート５も斜めに埋設されるため、六角ボルト６の頭の一部のみが側壁下端の内面に接することになり、幅規制が上手くいかなくなるので、その解決策として市販されているフレキシブルに回動するプレートを固定した全ネジボルト７を使用した事例である。この様にいままで説明してきたものは、自由勾配側溝１５の上面の開放部より手を入れたり、水路幅が広く、人が中に入って作業できるサイズのものであって、幅が狭かったり、水路深さが深く開放部から手が届かない時には難しいことになる。
【００１６】
そこで図７に、これを解決する方法として、六角ボルト６を自由勾配側溝１５ａの側壁の外側で締めて幅規制するようにした側溝本体を載置した使用状況断面図を記載してある。それは、側壁下端の両端部の基礎版１のインサート５の該当位置に切込み凹部１２を形成しておくもので、前記同様、２ｍピッチに布設された基礎版の左右のフーチング４上に本体の側壁の両端を橋渡して、幅や高さ方向の位置を調節して据え付け、側壁下端の内幅を規制するため、図８にあるように中間にプレート１０ａを一体化した全ネジボルト９をインサート５に捩じ込んでおいたボルト９を、切込み凹部の外側で緩めて全ネジボルト９に一体化されたプレート１０ａが側壁下端の内面に少し強めになるように接しさせ、側壁の外側からプレート１０を介してナット８で強く締め付け、ボルト９が動かないように固定する。これを製品の前後左右の４箇所で実施して、本体の下端の幅を規制する。この後の施行方法は、前述の通りである。
【００１７】
これとは別に、自由勾配側溝１５ｂの側壁下端の両端部を貫通穴１３としたものを、図９に示す。これは、基礎版１のフーチング４上に本体の側壁の両端を橋渡して、幅や高さ方向の位置を調節して据え付け、側壁を挟んでプレート１０を配し、ナット８を通して六角ボルト６をインサート５に締め付け、両プレート１０を側壁下端の内面に少し強めになるように接しさせ、側壁の内側からプレート１０を介してナット８で強く締め付け、ボルト６が動かないように固定する。これを製品の前後左右の４箇所で実施して、本体の下端の幅を規制する。この後の施行方法は、前述に同じである。
【００１８】
ところで、前に、基礎版同士の間において、基礎砕石１９と本体側壁下端に基礎版１のフーチング４の厚さ分の隙間２１が開き、埋め戻し土が側溝の内側に入り込む危険があることを説明してある。これを基礎版と自由勾配側溝の側壁下端の形状を変えることで簡単に対応できる、別の方法について説明する。図１０に示す如く、単なる矩形の基礎版２で、幅の長さ方向の両端部にインサート５埋設のための切り込み部１１を形成したものとして、自由勾配側溝１５ｃの側壁の両端下部を基礎版２の厚さに切込み部１１ａを設けて、図１１の如く据付することで、基礎砕石１９と本体側壁下端に隙間２１が生じないので、この問題を改善できる。幅規制のあり方は、人が作業できるサイズのものにあっては、図４および図６の方法で、作業し難いサイズにあっては、図８または図９の方法で対処できることは、前述した通りである。
【００１９】
更に、これとは別に供用時にあって、基礎地盤が弱かったり、大型車両の通行が頻繁で、図２や図１０の基礎版では、車両の直載によって沈下の懸念が考えられるような場合には、図１２にある如く、製品長さと同じくした凸型の基礎版３とすることで対処できる。供用後、時間を見て後日コンクリートを打設することから、少しでも施行し易くすると共に、単価も安くするため、２個の大きな貫通溝１４を形成してある。また、基礎版３と、本体の側壁の隙間に、モルタルなり、コンクリートで間詰めのみとする場合には、貫通溝１４は、浸透用の底版穴として機能する。なお、フーチング４部が全長に亘って形成されているので、側壁下端と基礎砕石１９の間に隙間２１が生じないので、埋め戻し時に土が側溝の内側に入り込むこともない。
【００２０】
この様に、各種の形状と長さの基礎版を、現場や用途に合わせて使用して、急速施行することで、直ちに埋め戻しを実施でき、すぐにでも供応できるので、後日の余裕の出来た時間帯に基礎とインバートコンクリートを同時に打設出来るもので、時間も短縮され費用も安くなり、時代にあったもので、特に、小規模な店主が多い商店街等の道路側溝の改修や改良工事に、夜間作業等を実施することで、休業しないで済むので喜ばれることになる。
【産業上の利用可能性】
【００２１】
本発明の急速施行用基礎版は、自由勾配側溝の施行にあって、基礎コンクリートやインバートコンクリートの打設および硬化後でないと埋め戻し土が出来ないのを、本願の基礎版の設置のみで埋め戻しを実施でき、直ちに供応できるようにしたもので、後日の余裕の出来た時間帯に基礎とインバートコンクリートを同時に打設出来るようにしたもので、安価に短時間で施行できるようにしたので、自在に水路勾配を形成できる側溝でありながら、従来のＵ型側溝と比較しても蓋の枚数が半分でよいので、同等または少し早く施行でき、一般側溝の代替も可能としたものである。
【図面の簡単な説明】
【００２２】
【図１】従来の自由勾配側溝の使用状況を示した斜視図である。
【図２】自由勾配側溝の繋ぎ目に設置する急速施行用の凸型形状とした基礎版の基本態様を示した斜視図である。
【図３】図２に自由勾配側溝を据え付けた使用状況断面図を示したものである。
【図４】図３の幅規制部の使用状況の拡大断面図を示したものである。
【図５】図２に自由勾配側溝を据え付けた使用状況縦断面図を示したものである。
【図６】図３の幅規制部の使用状況の別の拡大断面図を示したものである。
【図７】図２に自由勾配側溝を据え付けた別の使用状況断面図を示したものである。
【図８】図７の幅規制部の使用状況の拡大断面図を示したものである。
【図９】図７の幅規制部の使用状況の別の拡大断面図を示したものである
【図１０】自由勾配側溝の繋ぎ目に設置する急速施行用の矩形形状とした基礎版の基本態様を示した斜視図である。
【図１１】図１０に自由勾配側溝を据え付けた使用状況断面図を示したものである
【図１２】自由勾配側溝の長さに合わせた急速施行用の凸型形状とした基礎版の基本態様を示した斜視図である。
【符号の説明】
【００２３】
１〜１ａ  凸型の基礎版
２  矩形の基礎版
３  貫通溝を設けた凸型の基礎版
４  フーチング
５  インサート
６  六角ボルト
７  フレキシブルに回動するプレートを固定した全ネジボルト
８  ナット
９  中間にプレートを一体化ボルト
１０〜１０ａ  プレート
１１〜１１ａ  切り込み部
１２  切込み凹部
１３  貫通穴
１４  貫通溝
１５〜１５ｃ  自由勾配側溝
１６  基礎コンクリート
１７〜１７ａ  インバートコンクリート
１８  クリアランス
１９  基礎砕石
２０  型枠
２１  隙間
【図１】
2007056446.tif 000003
【図２】
2007056446.tif 000004
【図３】
2007056446.tif 000005
【図４】
2007056446.tif 000006
【図５】
2007056446.tif 000007
【図６】
2007056446.tif 000008
【図７】
2007056446.tif 000009
【図８】
2007056446.tif 000010
【図９】
2007056446.tif 000011
【図１０】
2007056446.tif 000012
【図１１】
2007056446.tif 000013
【図１２】
2007056446.tif 000014